(57)【要約】  【課題】  ある業界が専用伝票を使用し業務処理を行うにあたり、業務処理費等が売価に含まれるケースも多いが、費用等を負担しない模倣した安価な伝票（海賊版）も多く、この防止が重要な課題である。【解決手段】    海賊版防止コード生成印刷手段により海賊版防止コードを伝票に印刷し、海賊版防止コードチェック・入力・印字手段により選定した海賊版防止コードと上記手段により入力された該コードとの一致がチェックされ、不一致はデータ入力、入力済データの伝票への印字を拒否、一致は許可されるようにし、ＯＣＲ方式の伝票の読取りについては、海賊版防止コードＯＣＲ読取り手段により選定した海賊版防止コードと読取らさせた海賊版防止コードとの一致がチェックされ、不一致は読取拒否、一致は読取を許可し前記各手段について担当ＳＥ、プログラマー以外による内容の確認、設計内容の変更などができないように設計し、本特許が正常に運営されるように構成すれば良い。【選択図】なし【特許請求の範囲】
【請求項１】
ある業界が専用伝票を使用し業界関連共通の業務処理を行うにあたり、業務処理費等が専用伝票の売価に含まれるケースも多いが、そのようなケースにおいて業界の販売ルートを通さない業界が負担している業務処理費等を負担しない専用伝票を模倣した安価な伝票（海賊版）が出るケースも多く、この海賊版を如何に防止するかは重要な課題である。
この課題を解決すべく
印刷機のコンピュータシステムに
伝票に連続した伝票番号を印刷するにあたり、先ず、印刷しようとする伝票番号の指定桁の数字Ｘが選定され、次に、該伝票番号の他の指定桁の数字Ｙが選定され、該数字Ｘが該数字Ｙで除された答えが算出され、算出された答えの小数点以下の指定された桁の数字Ｚが選定され、選定された数字Ｚが海賊版防止コードとして該伝票番号が印刷される伝票に印刷される海賊版防止コード生成印刷手段と
伝票を発行するパソコンに
パソコンにデータを入力し入力したデータ（あるいはパソコンに入力済のデータ）を伝票に印字するにあたり、最初に該伝票の伝票番号と海賊版防止コードをパソコンに入力させ、入力された該伝票番号から前記手段で指定した指定桁の数字Ａが選定され、次に、該伝票番号から前記手段で指定した他の指定桁の数字Ｂが選定され、選定された該数字Ａが選定された該数字Ｂで除された答えが算出され、算出された答えの小数点以下の前記手段で指定した桁の数字Ｃが選定され、選定された該数字Ｃと上記により入力された該海賊版防止コードとの一致がチェックされ、一致しない場合は該伝票に対するデータ入力、あるいは入力済データの該伝票への印字が拒否され、一致した場合は該伝票に対するデータ入力及び入力したデータの該伝票への印字が、あるいは入力済のデータの該伝票への印字が許可される海賊版防止コードチェック・入力・印字手段と
を備えたことを特徴とする伝票の海賊版防止システム。
【請求項２】
伝票に記載された項目をＯＣＲ読取りシステムで読取り、データ処理を行うシステムにおいて
伝票にＯＣＲ読取り指定項目として、該伝票の伝票番号に加えて海賊版防止コード生成印字手段と同様の手順で選定された海賊版防止コードをＯＣＲ読取りシステムの指定印字方式で印字させ、印字させた該伝票番号と該海賊版防止コードをパソコンにインストールされているＯＣＲ読取りシステムで読取るにあたり、最初に該伝票のＯＣＲ読取り指定項目に指定されている伝票番号と海賊版防止コードを読取らさせ、読取った該伝票番号から海賊版防止コード生成印刷手段で指定した指定桁の数字Ｅが選定され、次に、該伝票番号から海賊版防止コード生成印刷手段で指定した他の指定桁の数字Ｆが選定され、選定された該数字Ｅが選定された該数字Ｆで除された答えが算出され、算出された答えの小数点以下の海賊版防止コード生成印刷手段で指定した桁の数字Ｇが選定され、選定された該数字Ｇと上記ＯＣＲ読取りシステムにより読取らさせた該海賊版防止コードとの一致がチェックされ、一致しない場合はＯＣＲ読取りシステムによる該伝票のＯＣＲ読取り指定項目の以降の読取が拒否され、一致した場合はＯＣＲ読取りシステムによる該伝票のＯＣＲ読取り指定項目の以降の読取が許可される海賊版防止コードＯＣＲ読取り手段と
を備えたことを特徴とする伝票の海賊版防止システム。
【発明の詳細な説明】
【技術分野】
【０００１】
ある業界が専用伝票を使用し業界関連共通の業務処理を行うにあたり、業務処理費等が専用伝票の売価に含まれるケースも多いが、そのようなケースにおいて業界の販売ルートを通さない業務処理費等を伝票の売価に含まない専用伝票を模倣した安価な伝票（海賊版）が出るケースも多く、この海賊版を防止するシステムに関する。
【背景技術】
【０００２】
建設業界が建設廃棄物の処理を業者に依頼するにあたり、廃棄物処理清掃法にのっとり建設マニフェスト伝票（以下建設Ｍ伝票という）に必要事項を記入し、廃棄物と一緒に交付している。
この建設Ｍ伝票は建設九団体副産物協議会の建設マニフェスト販売センターから全国に年間２８００万枚販売されているが、海賊版が相当に出まわり、その防止策が無いのが実情のようで海賊版防止システムの開発が待たれるところである。
【特許文献１】特に無いようである
【非特許文献１】平成１７年２月３日提出の[書類名]意見書 [事件の表示] [出願番号]特願2004- 149737に提出した[提出物件]の（１）と（３）を援用する    [物件名]（１）厚生省 水道環境部 産業廃棄物対策室発行の「産業廃棄物の適正な移動管理」のコピー                                                         １（３）建設九団体副産物対策協議会が発行し、建設マニフェスト販売センターが販売している「産業廃棄物  建設系廃棄物マニフェスト」                 １
【発明の開示】
【発明が解決しようとする課題】
【０００３】
本発明が解決しようとする課題は、ある業界が業界の業務処理費等が売価に含まれる専用伝票を使用し、業界関連共通の業務処理を行うにあたり、該専用伝票を模倣した業界関連共通の業務処理費等を伝票の売価に含まない安価な伝票（海賊版）が使用されるケースも多く、この海賊版を防止するシステムを提供することにある。
【課題を解決するための手段】
【０００４】
この発明は印刷会社の印刷機のコンピュータシステムに、
伝票に、連続した伝票番号と、該伝票番号から海賊版防止コード生成印刷手段により算出した海賊版防止コードが、印刷されるよう構成され、
伝票を発行するパソコンに
入力したデータ（あるいはパソコンに入力済のデータ）を伝票に印字するにあたり、最初に該伝票の伝票番号と海賊版防止コードをパソコンに入力させ、海賊版防止コードチェック・入力・印字手段により算出させた海賊版防止コードと、上記により入力された該海賊版防止コードとの一致がチェックされ、一致しない場合は該伝票に対するデータ入力、あるいは入力済データの該伝票への印字が拒否され、一致した場合は該伝票に対するデータ入力及び入力したデータの該伝票への印字が、あるいは入力済のデータの該伝票への印字が許可されるように構成され、
伝票に記載されたＯＣＲ読取り指定項目をＯＣＲ読取りシステムで読取り、データ処理を行うシステムにおいては
伝票にＯＣＲ読取り指定項目として、該伝票の伝票番号に加えて海賊版防止コードをＯＣＲ読取りシステムの指定印字方式で印字させ、印字させた該伝票番号と該海賊版防止コードをパソコンにインストールされているＯＣＲ読取りシステムで読取らさせ、読取った該伝票番号から海賊版防止コードＯＣＲ読取り手段により選定された海賊版防止コードと上記ＯＣＲ読取りシステムにより読取らさせた該海賊版防止コードとの一致がチェックされ、一致しない場合はＯＣＲ読取りシステムによる該伝票のＯＣＲ読取り指定項目の以降の読取が拒否され、一致した場合はＯＣＲ読取りシステムによる該伝票のＯＣＲ読取り指定項目の以降の読取が許可されるように構成されている。
【発明の効果】
【０００５】
ある業界が業界の業務処理費等が売価に含まれる専用伝票を使用し、業界関連共通の業務処理を行うにあたり、該専用伝票を模倣した海賊版が出まわるのを防止する仕組みが構築できる
【発明を実施するための最良の形態】
【０００６】
印刷機のコンピュータシステムの海賊版防止コード生成印刷手段により伝票に連続した伝票番号を印刷するにあたり、先ず、印刷しようとする伝票番号の指定桁の数字Ｘが選定され、次に、該伝票番号の他の指定桁の数字Ｙが選定され、該数字Ｘが該数字Ｙで除された答えが算出され、算出された答えの小数点以下の指定された桁の数字Ｚが選定され、選定された数字Ｚが海賊版防止コードとして該伝票番号が印刷される伝票に印刷されるように構成され
【０００７】
伝票を発行するパソコンにデータを入力し入力したデータを、あるいはパソコンに入力済のデータを伝票に印字するにあたり、最初に該伝票の伝票番号と海賊版防止コードをパソコンに入力させ、入力された該伝票番号から海賊版防止コードチェック・入力・印字手段により選定された数字Ａが、前記手段により選定された数字Ｂで除された答えが算出され、算出された答えの小数点以下の前記手段により選定された数字Ｃと上記により入力された該海賊版防止コードとの一致がチェックされ、一致しない場合は該伝票に対するデータ入力、あるいは入力済データの該伝票への印字が拒否され、一致した場合は該伝票に対するデータ入力及び入力したデータの該伝票への印字が、あるいは入力済のデータの該伝票への印字が許可されるように構成され、
【０００８】
伝票にＯＣＲ読取りシステムの指定印字方式で印字されたＯＣＲ読取り指定項目をＯＣＲ読取りシステムで読取り、データ処理を行うシステムにおいて
海賊版防止コードＯＣＲ読取り手段により、最初に該伝票のＯＣＲ読取り指定項目に指定されている伝票番号と海賊版防止コードを読取らさせ、読取った該伝票番号から海賊版防止コード生成印刷手段で指定した指定桁の数字Ｅが選定され、次に、該伝票番号から前記手段で指定した他の指定桁の数字Ｆが選定され、選定された該数字Ｅが選定された該数字Ｆで除された答えが算出され、算出された答えの小数点以下の前記手段で指定した桁の数字Ｇが選定され、選定された該数字Ｇと上記ＯＣＲ読取りシステムにより読取らさせた該海賊版防止コードとの一致がチェックされ、一致しない場合はＯＣＲ読取りシステムによる該伝票のＯＣＲ読取り指定項目の以降の読取が拒否され、一致した場合はＯＣＲ読取りシステムによる該伝票のＯＣＲ読取り指定項目の以降の読取が許可されるように構成され
【０００９】
（０００８）の海賊版防止コードチェック・入力・印字手段、（０００９）海賊版防止コードＯＣＲ読取り手段と海賊版防止コード生成印刷手段についてはシステムを担当したＳＥあるいはシステムを担当したプログラマー以外による内容の確認あるいはシステム設計内容の変更などができないように設計し、本特許が正常に運営されるように構成すれば良い。
【産業上の利用可能性】
【００１０】
建設業界が建設廃棄物の処理を業者に依頼するにあたり、廃棄物処理清掃法にのっとり建設マニフェスト伝票（以下建設Ｍ伝票という）に必要事項を記入し、廃棄物と一緒に交付しているのが実情である。この建設Ｍ伝票は建設九団体副産物協議会の建設マニフェスト販売センターから全国に年間２８００万枚販売されているが、海賊版が相当に出まわり、その防止は大変に難しいのも現状である。
このような中で、政府のＩＴ戦略会議で廃棄物処理清掃法にのっとつた電子マニフェスト（以下電子Ｍという）への移行が決定され環境省も積極的に推進中であり、建設九団体副産物協議会の電子Ｍ検討ワーキンググループでも色々と検討されたようであるが電子Ｍになっても建設廃棄物物流伝票（以下建廃物流伝票という）は不可欠のようである。
建設九団体副産物協議会は建設Ｍ伝票の販売において廃棄物不法投棄現状回復基金等を１５円上乗せして１部２５円で販売しており、建廃物流伝票になっても同様かも知れず海賊版が今以上に出まわることも予測され、如何に防止するかは重要な課題と思われ、本システムの利用価値は大変高いものと思われる。